(57)【要約】【課題】耐トラッキング性に優れたテーブルタップを提供する【解決手段】一対の栓刃（図示せず）を有する差し込みプラグ（図示せず）を複数接続可能なテーブルタップ１において、前記栓刃を受ける導電部材５を収納する外郭２を有し、前記外郭２の上面に前記差し込みプラグの各一対の栓刃が差し込まれる差し込み口６を少なくとも一対設け、前記一対の差し込み口６間に位置すると共に前記外郭２の長手方向に、前記外郭２の上面３ｂと下面４ｄを連通する貫通孔１０を設けたもので、貫通孔１０があることで一対の差し込み口６間にゴミが堆積することがなくなり、塵埃によるトラッキング現象の発生を確実に防止することができる。【選択図】図１
2017147212.tif 000002
【特許請求の範囲】
【請求項１】
一対の栓刃を有する差し込みプラグを複数接続可能なテーブルタップにおいて、前記栓刃を受ける導電部材を収納する外郭を有し、前記外郭の上面に前記差し込みプラグの各一対の栓刃が差し込まれる差し込み口を少なくとも一対設け、前記一対の差し込み口間に位置すると共に前記外郭の長手方向に前記外郭の上面と下面を連通する貫通孔を設けたテーブルタップ。
【請求項２】
一対の差し込み口を外郭の長手方向に長穴状に設けた請求項１に記載のテーブルタップ。
【請求項３】
請求項１又は２に記載のテーブルタップと、差し込みプラグと、前記テーブルタップ内の導電部材と前記差し込みプラグとを電気的に接続する延長コードを備えた延長コードセット。
【発明の詳細な説明】
【技術分野】  本発明は、テーブルタップおよび延長コードセットに関するものである。
【背景技術】  テーブルタップの差し込みプラグを受ける上面に埃が付着しそれが湿気を帯びてくると、差し込みプラグの１対の栓刃間でその埃を通して微弱な電流が流れ熱を帯びてくる。それによりテーブルタップの差し込みプラグの栓刃の差し込み口間に炭化導電路が形成される、いわゆるトラッキング現象が発生し火災につながるという問題があった。
このような問題を解決するために、従来のテーブルタップは、ユリアなど耐熱性および耐トラッキング性に優れた材料からなると共に差し込みプラグの栓刃の差し込み口を有する内ケースと、塩化ビニルなど耐衝撃性に優れた熱可塑性樹脂からなる外シェルで構成され、栓刃の差し込み口部分を除いて内ケースを外シェルで包むようにしたテーブルタップが提案されている（例えば、特許文献１参照）。
また、テーブルタップではないが、差し込みプラグの一対の栓刃の差し込み口間に浅い溝を形成し、一対の栓刃間の沿面距離を長くして耐トラッキング性を向上させるようにしたコンセントも提案されている（例えば、特許文献２参照）。
【先行技術文献】
【特許文献】
【特許文献１】特開２０００−１８８１５９号公報
【特許文献２】特開平９−１１５５８６号公報
【発明の概要】
【発明が解決しようとする課題】  しかしながら、上記特許文献１に記載されたような従来のテーブルタップの構成では、耐熱性および耐トラッキング性に優れた高価な樹脂で成形された内ケースが不可欠なため、材料コストは勿論、部品点数も増えるので組み立てコストも増加するという課題があった。
また、上記特許文献２に記載された従来のコンセントは、一般に壁などに垂直に取り付けられるものなので、床などに置かれて使用されるテーブルタップと異なり、埃の堆積量が少ないので浅い溝でも事足りるが、床置きされて埃が上面に堆積しやすいテーブルタップでは、浅い溝はトラッキング現象を防止するには不十分であった。
本発明は、上記従来の課題を解決するもので、安価な構成で耐トラッキング性が飛躍的に向上した安全なテーブルタップ及び安全性に優れた延長コードセットを提供することを目的とする。
【課題を解決するための手段】  上記従来の課題を解決するために本発明のテーブルタップは、一対の栓刃を有する差し込みプラグを複数接続可能なテーブルタップにおいて、前記栓刃を受ける導電部材を収納する外郭を有し、前記外郭の上面に前記差し込みプラグの各一対の栓刃が差し込まれる差し込み口を少なくとも一対設け、前記一対の差し込み口間に位置すると共に前記外郭の長手方向に前記外郭の上面と下面を連通する貫通孔を設けたもので、一対の差し込み口間に外郭の上面と下面を連通する貫通孔を設けることにより一対の差し込み口間にゴミが堆積することがなくなり、塵埃によるトラッキング現象の発生を確実に防止することができる。
また、本発明の延長コードセットは、請求項１又は２に記載のテーブルタップと、差し込みプラグと、前記テーブルタップ内の導電部材と前記差し込みプラグとを電気的に接続する延長コードを備えたもので、耐トラッキング性能が飛躍的に向上し安全性に優れた延長コードセットを提供することができる。
【発明の効果】  本発明のテーブルタップは、安価な構成で耐トラッキング性が飛躍的に向上するとともに、このテーブルタップを延長コードセットに用いることにより安全性に優れた延長コードセットを提供することができる。
【図面の簡単な説明】
【図１】本発明の実施の形態１におけるテーブルタップの外観斜視図
【図２】同テーブルタップの分解斜視図
【図３】図１のＡ−Ａ拡大断面図
【図４】同テーブルタップの使用例を示す斜視図
【図５】本発明の実施の形態２におけるテーブルタップの外観斜視図
【図６】同テーブルタップの他の例を示す外観斜視図
【図７】本発明の実施の形態３における延長コードセットの外観斜視図
【発明を実施するための形態】
第１の発明は、一対の栓刃を有する差し込みプラグを複数接続可能なテーブルタップにおいて、前記栓刃を受ける導電部材を収納する外郭を有し、前記外郭の上面に前記差し込みプラグの各一対の栓刃が差し込まれる差し込み口を少なくとも一対設け、前記一対の差し込み口間に位置すると共に前記外郭の長手方向に前記外郭の上面と下面を連通する貫通孔を設けたもので、一対の差し込み口間に外郭の上面と下面を連通する貫通孔を設けることにより一対の差し込み口間にゴミが堆積することがなくなり、塵埃によるトラッキング現象の発生を確実に防止することができる。
第２の発明は、特に、第１の発明の一対の差し込み口を外郭の長手方向に長穴状に設けたもので、複数の差し込みプラグを隣接させながら各栓刃をテーブルタップの差し込み口に差し込むことができるので、テーブルタップを短く小型化することができ、使用勝手が向上する。
第３の発明に係る延長コードセットは、請求項１又は２に記載のテーブルタップと、差し込みプラグと、前記テーブルタップ内の導電部材と前記差し込みプラグとを電気的に接続する延長コードを備えたもので、耐トラッキング性能が飛躍的に向上し安全性に優れた延長コードセットを提供することができる。
以下、本発明の実施の形態について、図面を参照しながら説明する。なお、この実施の形態によって本発明が限定されるものではない。
（実施の形態１）
図１は、本発明の実施の形態１におけるテーブルタップの外観斜視図、図２は、同テーブルタップの分解斜視図、図３は、図１のＡ−Ａ拡大断面図、図４は、同テーブルタップの使用例を示す斜視図である。
図１〜３において、本実施の形態におけるテーブルタップ１は、ＡＢＳなどの熱可塑性樹脂またはユリアなどの熱硬化性樹脂で成形された上ケース３と、同じくＡＢＳなどの熱可塑性樹脂またはユリアなどの熱硬化性樹脂で成形された下ケース４から構成された外郭２と、銅や銅合金などの導電性に優れた材料からなり外郭２に収納されると共に電気器具（図示せず）に接続された電源コード（図示せず）の先端に接続された差し込みプラグ（図示せず）の一対の栓刃（図示せず）を受ける一対の導電部材５で構成されている。
上ケース３は、その長手方向に設けられ差し込みプラグの一対の栓刃を挿入するための一対の長穴状の差し込み口６と、一対の差し込み口６間に位置すると共に上ケース３の長手方向に設けた長穴状の貫通孔Ａ７と、電源コード９に一体成型された保護部９ａの上部を押さえる押さえ部３ａを備えている。
下ケース４は、一対の導電部材５のそれぞれの下部５ａを収納、保持する一対の保持部４ａと、電源コード９の保護部９ａの一側を収納・保持する保持部４ｂと、一対の保持部４ａ間に位置すると共に下ケース４の長手方向に長穴状の貫通孔Ｂ８を備えている。
各導電部材５の断面形状は、図３に示すように、上端部５ｂは、差し込みプラグの栓刃の先端が差し込みやすいように逆ハの字状に開き、下部５ａは、略Ｕ字状に形成されている。さらに、導電部材５の上部には長手方向に沿って複数の切り込み５ｃが設けられ、長手方向の一端には、電源コード９の芯線９ｂを接続するための接続片５ｄが設けられている。芯線９ｂと接続片５ｄとの接続は、図に示すような加締めや、図示しないがスポット溶接、ハンダ付けでもよい。
本実施の形態におけるテーブルタップ１は、以下のようにして組み立てられる。
最初に電源コード９の芯線９ｂを一対の導電部材５の接続片５ｄに加締め、その一対の導電部材５の下部５ａを下ケース４に設けた収納部４ａに挿入し、電源コード９の保護部９ａを同下ケース４の収納部４ｂに収納する。次に、下ケース４の開口部４ｃを覆うように上ケース３を重ね、超音波溶接またはねじ止めなどの手段で上ケース３を下ケース４に固定する。
上ケース３と下ケース４を固定することで、電源コード９の保護部９ａの下部は下ケース４の保持部４ｂで保持され、保護部９ａの上部は上ケース３に設けた押さえ部３ａで押さえつけられるので電源コード９の保護部９ａはテーブルタップ１の外郭２から外れることは無い。
また、図３に示すように、上ケース３で下ケース４の開口部４ｃを覆ったとき、上ケース３の貫通孔Ａ７の開口端７ａと下ケース４の貫通孔Ｂ８の開口端８ａが略同一形状でかつ当接するようになっているので、上ケース３を下ケース４に固定することにより、上ケース３の貫通孔Ａ７と下ケース４の貫通孔Ｂ８とが重なり、上ケース３の上面３ｂと下ケース４の下面４ｄとを連通する一つの貫通孔１０が形成されるようになっている。
以上のように本実施の形態におけるテーブルタップ１は、一対の差し込み口６間に、上ケース３の上面３ｂと下ケース４の下面４ｄとを連通する貫通孔１０が形成されているので、差し込み口６間に埃などがたまることが無い。これによりテーブルタップの上面に付着、または堆積した塵埃による差し込みプラグの一対の栓刃間でのトラッキング現象を確実に防止することができる。
また、従来のテーブルタップでは、テーブルタップの長手方向に一対の差し込み口が所定の間隔を置いて複数設けられていたため、複数の差し込みプラグをテーブルタップに差し込む際に隣り合う差し込みプラグ間にデッドスペースがあったが、本実施の形態におけるテーブルタップ１の差し込み口６は長穴状に形成されているので、図４に示すように、複数の電源プラグ１１ａ、１１ｂを隣接させて使用することができる。これにより、テーブルタップ１の長さを短くできるので、安価でしかも小型化されたテーブルタップを提供することができる。
また、本実施の形態では、差し込み口６間に設けた貫通孔Ａ７の長手方向の左右の端部を、差し込み口６の長手方向の左右の端部より寸法Ｐほどそれぞれ外方に位置させている。寸法Ｐは、短すぎると図２の点線で示すように貫通孔Ａ７の周縁に沿ってトラッキング現象が起きやすくなり、逆に寸法Ｐが長すぎるとテーブルタップ１の全長が長くなり大型化するので、５ｍｍ〜１５ｍｍが望ましい。
（実施の形態２）
図５は、本発明の実施の形態２におけるテーブルタップの外観斜視図である。なお上記実施の形態におけるテーブルタップと同一部分には同一符号を付してその説明を省略する。
図５において、本実施の形態におけるテーブルタップ１９は、従来のように、上ケース２０に差し込みプラグの栓刃を差し込むための一対の差し込み口２２を所定の間隔Ｌおきに複数（本実施の形態では５対）設けると共に、各対の差し込み口２２間に実施の形態１で述べたような貫通孔Ａ７を上ケース２０に長穴状に設けたもので、その他の構成は上記実施の形態１におけるテーブルタップ１と同一である。
本実施の形態におけるテーブルタップ１９は、実施の形態１におけるテーブルタップ同様耐トラッキング性に優れていると共に上ケースに２０に設けた差し込み口２２が複数に分割、すなわち差し込み口２２が長穴状ではないので上ケース２０の剛性が高まり耐久性を向上させることができる。
また、図６に示すテーブルタップ２４のように、上ケース２５に一対の差し込み口２２を所定間隔Ｌをおいて複数設けると共に一部の差し込み口２２を長穴状に形成してもよい。
（実施の形態３）
図７は、本発明の実施の形態３における延長コードセットの外観斜視図である。なお上記実施の形態におけるテーブルタップと同一部分には同一符号を付してその説明を省略する。
図７において、本実施の形態における延長コードセット３０は、上記実施の形態におけるテーブルタップ１、１９、２４のいずれか一つと、差し込みプラグ３１と、テーブルタップ１、１９、２４のいずれかの導電部材５と差し込みプラグ３１とを電気的に接続する延長コード３２から構成されている。
本実施の形態における延長コードセット３０は、以上のように耐トラッキング性に極めて優れたテーブルタップ１、１９、２４のいずれかを用いているので、耐トラッキング性能が飛躍的に向上し、発火の恐れが無い安全性に優れた延長コードセットを提供することができる。
【産業上の利用可能性】  以上のように、本発明にかかるテーブルタップは、差し込み口間に外郭の上面と下面とを貫通する貫通孔を設けることにより、差し込み口間にゴミが堆積することがないので、トラッキング現象が起きることは無く極めて安全なもので、各種延長コードセットに適用できる。
【符号の説明】  １、１９、２４  テーブルタップ
２  外郭
３、２０、２５  上ケース
４  下ケース
５  導電部材
６、２２  差し込み口
７  貫通孔Ａ
８  貫通孔Ｂ
９  電源コード
１０  貫通孔
１１ａ、１１ｂ、３１  差し込みプラグ
３０  延長コードセット
３２  延長コード
【図１】
2017147212.tif 000003
【図２】
2017147212.tif 000004
【図３】
2017147212.tif 000005
【図４】
2017147212.tif 000006
【図５】
2017147212.tif 000007
【図６】
2017147212.tif 000008
【図７】
2017147212.tif 000009